(57)【要約】【課題】意匠を損なうことなく、照明灯具の交換・修理点検作業を容易に行うことができる間接照明灯具カバーを提供すること。【解決手段】エレベーターかご室２４内の天井部に照明灯具１８を覆うように取り付けられる断面がＬ字形の間接照明カバー１０と、この間接照明カバー１０の底面に固定設置される固定ブラケット１２と、この固定ブラケット１２に着脱自在に固定された断面がＬ字形の乳白色プラスチック板１５とを備え、このＬ字形の乳白色プラスチック板１５および前記間接照明カバー１０により、前記照明灯具１８を覆うように構成されている。【選択図】図１
2010155706.tif 000002
【特許請求の範囲】
【請求項１】
エレベーターかご室内の天井部に照明灯具を覆うように取り付けられる断面がＬ字形の間接照明カバーと、この間接照明カバーの底面に固定設置される固定ブラケットと、この固定ブラケットに着脱自在に固定された断面がＬ字形の乳白色プラスチック板とを備え、このＬ字形の乳白色プラスチック板および前記間接照明カバーにより、前記照明灯具を覆うように構成されていることを特徴とする間接照明灯具カバー装置。
【請求項２】
エレベーターかご室内の天井部に照明灯具を覆うように取り付けられる断面がＬ字形の間接照明カバーと、この間接照明カバーの先端部に磁石を介して着脱自在に固定された固定ブラケットと、この固定ブラケットに着脱自在に固定された断面がＬ字形の乳白色プラスチック板とを備え、このＬ字形の乳白色プラスチック板および前記間接照明カバーにより、前記照明灯具を覆うように構成されていることを特徴とする間接照明灯具カバー装置。
【請求項３】
エレベーターかご室内の天井部に照明灯具を覆うように取り付けられる断面がＬ字形の間接照明カバーと、この間接照明カバーの底部に固定設置される断面がＬ字形の固定ブラケットと、この固定ブラケットおよび前記間接照明カバーの先端部間に挿脱自在に固定される、下部に切り欠きを有する乳白色プラスチック板と、前記固定ブラケットに設けられ、前記乳白色プラスチック板を、前記切り欠きを介して前記固定ブラケットに固定するスタッドおよびナットからなる固定具とを備え、前記乳白色プラスチック板および前記間接照明カバーにより、前記照明灯具を覆うように構成されていることを特徴とする間接照明灯具カバー装置。
【請求項４】
エレベーターかご室内の天井部に照明灯具を覆うように取り付けられている断面がＬ字形の間接照明カバーと、その間接照明カバーの先端部に蝶番を介して、断面がほぼ垂直状態および傾いた状態間で回転可能に固定された乳白色プラスチック板と、この乳白色プラスチック板をほぼ垂直な状態で保持するようにスタッドおよびナットからなる固定具を介して前記間接照明カバーの先端部に固定されるストッパーとを備え、前記乳白色プラスチック板および前記間接照明カバーにより、前記照明灯具を覆うように構成されていることを特徴とする間接照明灯具カバー装置。
【請求項５】
エレベーターかご室内の天井部に照明灯具を覆うように取り付けられている断面がＬ字形の間接照明カバーと、その間接照明カバーの底面に所定の間隙を空けて対向配置された内側固定ブラケットおよび外側固定ブラケットと、これらの固定ブラケットにより形成される前記間隙に設けた載置台と、この載置台上の前記間隙に挿脱可能に挿入される乳白色プラスチック板とを備え、この乳白色プラスチック板および前記間接照明カバーにより、前記照明灯具を覆うように構成されていることを特徴とする間接照明灯具カバー装置。
【請求項６】
エレベーターかご室内の天井部に照明灯具を覆うように取り付けられている断面がＬ字形の間接照明カバーと、その間接照明カバーの底面に固定された断面がＬ字形の載置台と、この載置台の垂直部の内側に下端が固定された板ばねからなる内側固定ブラケットと、この内側固定ブラケットに対して所定の間隙を空けて対向配置される外側固定ブラケットと、これらの固定ブラケットにより形成される前記間隙に挿脱可能に挿入される乳白色プラスチック板とを備え、この乳白色プラスチック板および前記間接照明カバーにより、前記照明灯具を覆うように構成されていることを特徴とする間接照明灯具カバー装置。
【請求項７】
エレベーターかご室内の天井部に照明灯具を覆うように取り付けられている断面がＬ字形の間接照明カバーと、その間接照明カバーの底面に固定された蝶番取付台と、この蝶番取付台に蝶番により下端部内面が連結され、下端部外面に磁石部材が設けられた乳白色プラスチック板とを備え、この乳白色プラスチック板は、前記蝶番により、ほぼ垂直状態および傾いた状態のいずれかの状態に回転可能に設けられ、この乳白色プラスチック板および前記間接照明カバーにより、前記照明灯具を覆うように構成されていることを特徴とする間接照明灯具カバー装置。
【発明の詳細な説明】
【技術分野】
【０００１】
本発明は、エレベーターのかご室内に設置されている照明装置を覆う間接照明灯具カバーに関する。
【背景技術】
【０００２】
従来、エレベ−ターのかご室内に設置されている間接照明装置は、図１０乃至図１１のような構成になっている。
【０００３】
図１０乃至図１１は、エレベーター内部の一部の概略構成を示した正面図で、このうち、図１１は、かご室内に人が乗り込み間接照明装置を見た状態を示している。
【０００４】
図１０において、かご室の天井１が側板２の上部に連結形成されており、その天井１の左右（図面に対して）端部には、間接照明装置３が取り付けられている。
【０００５】
この間接照明装置３は、間接照明カバー４と、反射板５および照明光源６を装着するソケット（不図示）などで構成されている照明灯具７とからなり、そして、その照明灯具７には、照明光源６として、例えば、蛍光灯などが取り付けられている。
【発明の開示】
【発明が解決しようとする課題】
【０００６】
ところが、このような従来の間接照明装置３では、かご室８に乗り込んだ人９が、図１１に示したように、視線を上にあげると、その人９からは、破線で示す視線に沿って、照明光源６が直接見えてしまう。
【０００７】
このように、かご室８内に居る人９により、照明光源６などが装着された照明灯具７が視認できると、意匠上、見栄えが悪く、美観を損ねていた。
【０００８】
この改善策として、意匠変更を極力少なくして行う方法、すなわち、乳白色プラスチック板を間接照明カバーに、直接、設置する方法などが考えられているが、この方法では、光源が切れた場合などの照明灯具の修理や点検作業の際、設置した乳白色プラスチック板が邪魔をして作業が困難となり、作業効率がよくないという問題があった。
【０００９】
そこで、本発明の目的は、意匠を損なうことなく、照明灯具の交換・修理点検作業を容易に行うことができる間接照明灯具カバーを提供することにある。
【課題を解決するための手段】
【００１０】
本発明の間接照明灯具カバーは、エレベーターかご室内の天井部に照明灯具を覆うように取り付けられる断面がＬ字形の間接照明カバーと、この間接照明カバーの底面に固定設置される固定ブラケットと、この固定ブラケットに着脱自在に固定された断面がＬ字形の乳白色プラスチック板とを備え、このＬ字形の乳白色プラスチック板および前記間接照明カバーにより、前記照明灯具を覆うように構成されていることを特徴とするものである。
【００１１】
また、本発明の間接照明灯具カバーは、エレベーターかご室内の天井部に照明灯具を覆うように取り付けられる断面がＬ字形の間接照明カバーと、この間接照明カバーの先端部に磁石を介して着脱自在に固定された固定ブラケットと、この固定ブラケットに着脱自在に固定された断面がＬ字形の乳白色プラスチック板とを備え、このＬ字形の乳白色プラスチック板および前記間接照明カバーにより、前記灯具を覆うように構成されていることを特徴とするものである。
【００１２】
さらに、本発明の間接照明灯具カバーは、エレベーターかご室内の天井部に照明灯具を覆うように取り付けられる断面がＬ字形の間接照明カバーと、この間接照明カバーの底部に固定設置される断面がＬ字形の固定ブラケットと、この固定ブラケットおよび前記間接照明カバーの先端部間に挿脱自在に固定される、下部に切り欠きを有する乳白色プラスチック板と、前記固定ブラケットに設けられ、前記乳白色プラスチック板を、前記切り欠きを介して前記固定ブラケットに固定するスタッドおよびナットからなる固定具とを備え、前記乳白色プラスチック板および前記間接照明カバーにより、前記灯具を覆うように構成されていることを特徴とするものである。
【００１３】
さらに、本発明の間接照明灯具カバーは、エレベーターかご室内の天井部に照明灯具を覆うように取り付けられている断面がＬ字形の間接照明カバーと、その間接照明カバーの先端部に蝶番を介して、断面がほぼ垂直状態および傾いた状態間で回転可能に固定された乳白色プラスチック板と、この乳白色プラスチック板をほぼ垂直な状態で保持するようにスタッドおよびナットからなる固定具を介して前記間接照明カバーの先端部に固定されるストッパーとを備え、前記乳白色プラスチック板および前記間接照明カバーにより、前記照明灯具を覆うように構成されていることを特徴とするものである。
【００１４】
さらに、本発明の間接照明灯具カバーは、エレベーターかご室内の天井部に照明灯具を覆うように取り付けられている断面がＬ字形の間接照明カバーと、その間接照明カバーの底面に所定の間隙を空けて対向配置された内側固定ブラケットおよび外側固定ブラケットと、これらの固定ブラケットにより形成される前記間隙に設けた載置台と、この載置台上の前記間隙に挿脱可能に挿入される乳白色プラスチック板とを備え、この乳白色プラスチック板および前記間接照明カバーにより、前記照明灯具を覆うように構成されていることを特徴とするものである。
【００１５】
さらに、本発明の間接照明灯具カバーは、エレベーターかご室内の天井部に照明灯具を覆うように取り付けられている断面がＬ字形の間接照明カバーと、その間接照明カバーの底面に固定された断面がＬ字形の載置台と、この載置台の垂直部の内側に下端が固定された板ばねからなる内側固定ブラケットと、この内側固定ブラケットに対して所定の間隙を空けて対向配置される外側固定ブラケットと、これらの固定ブラケットにより形成される前記間隙に挿脱可能に挿入される乳白色プラスチック板とを備え、この乳白色プラスチック板および前記間接照明カバーにより、前記照明灯具を覆うように構成されていることを特徴とするものである。
【００１６】
さらに、本発明の間接照明灯具カバーは、エレベーターかご室内の天井部に照明灯具を覆うように取り付けられている断面がＬ字形の間接照明カバーと、その間接照明カバーの底面に固定された蝶番取付台と、この蝶番取付台に蝶番により下端部内面が連結され、下端部外面に磁石部材が設けられた乳白色プラスチック板とを備え、この乳白色プラスチック板は、前記蝶番により、ほぼ垂直状態および傾いた状態のいずれかの状態に回転可能に設けられ、この乳白色プラスチック板および前記間接照明カバーにより、前記照明灯具を覆うように構成されていることを特徴とするものである。
【発明の効果】
【００１７】
本発明によれば、間接照明カバーに乳白色プラスチック板を着脱自在あるいは回転可能に結合することにより、通常時においては照明灯具をかご室内に居る人の視線から遮ると共に、修理点検時に作業空間を容易に確保できる。したがって、意匠上見栄えも良く、美観を損ねることのない間接照明灯具カバーを得ることができる。
【発明を実施するための最良の形態】
【００１８】
以下、本発明の実施形態につき、図１乃至図9を用いて詳細に説明する。
【００１９】
なお、図１乃至図９おいては、図１０における片側の間接照明装置だけを示している。
【実施形態１】
【００２０】
本発明による実施形態１に係る間接照明灯具カバーを、図１により説明する。
【００２１】
図１は、本発明による間接照明灯具カバーの第１の実施形態を示した構成正面図で、間接照明カバー１０の底面部１１に、Ｚ字形の乳白色プラスチック板からなる固定ブラケット１２が固定設置されており、また、その固定ブラケット１２の上面部にはスタッド１３が取り付けられていて、そのスタッド１３にはナット１４が抜き差し自在にはめ込まれている。
【００２２】
また、その固定ブラケット１２の上面部には、Ｌ字形の乳白色プラスチック板１５が、その下面に開けられている孔（不図示）をスタッド１３に通してナット１４で締め付けることによって、固定装着されている。
【００２３】
この場合、乳白色プラスチック板１５は、照明光源１６や反射板１７などからなる照明灯具１８が人の視線９Ａ（図１１）から十分に遮られる大きさになっている。
【００２４】
このような構成において、修理点検時、作業員は、ナット１４をスタッド１３からはずして、乳白色プラスチック板１５のみをスタッド１３から抜き取り、作業空間を確保して、作業を行う。
【実施形態２】
【００２５】
本発明による実施形態２に係る間接照明灯具カバーを、図２により説明する。
【００２６】
なお、以下では、図２乃至図９において、照明灯具および間接照明カバーなどが、図１と同一構成なので、その構成部分には同一符号を付し、その部分の詳細な説明は省略して説明している。
【００２７】
図２は、本発明による間接照明灯具カバーの第２の実施形態を示した正面図で、Ｌ字形の、例えば、鋼板からなる固定ブラケット１９の側面に、乳白色プラスチック板２０が取り付けられている。
【００２８】
この取り付けは、乳白色プラスチック板２０の下端にあけた孔（不図示）に、固定ブラケット１９の側面下部に設けたスタッド２１を通してナット２２で締め付けて固定装着する。
【００２９】
そして、この乳白色プラスチック板２０を取り付けた固定ブラケット１９の他面下部に、吸着材、例えば、磁石２３を貼り付け、この磁石２３の磁力によって、固定ブラケット１９を間接照明カバー１０に付着固定する。
【００３０】
なお、固定ブラケット１９に取り付けられた乳白色プラスチック板２０は、照明灯具１８が、かご室２４内に居る人の視線から、十分遮ぎられる大きさになっている。
【００３１】
このような構成によって、作業員は磁石２３に逆らう程度の作用力で固定ブラケット１９を間接照明カバー１０から取り外すことができるので、作業者は、特殊な工具を必要とせず、容易に、照明灯具１８の修理点検作業を行うことができる。
【実施形態３】
【００３２】
本発明による実施形態３に係る間接照明灯具カバーを、図３について説明する。
【００３３】
図３は、本発明による間接照明灯具カバーの第３の実施形態を示した構成図で、（Ａ）は間接照明灯具カバーの正面図、（Ｂ）は、乳白色プラスチック板の正面図である。
【００３４】
同図（Ａ）において、Ｌ字形の鋼材からなる固定ブラケット２５が、その背面と間接照明カバー１０の上部との間隙から乳白色プラスチック板２６を挿入自在にできる程度に空けられた状態で、間接照明カバー１０の底面部１０Ａに固定設置されている。
【００３５】
また、この固定ブラケット２５の中間部には、乳白色プラスチック板２６を載せる載置台２７が取り付けられていて、上記間隙に差し込まれた乳白色プラスチック板２６の下部が載るようになっている。
【００３６】
さらに、この固定ブラケット２５の上部にはスタッド２８が取り付けられていて、上記間隙に乳白色プラスチック板２６を差し込んだ後、ナット２９で締めつけ、この乳白色プラスチック板２６を固定ブラケット２５に固定させている。
【００３７】
この実施形態に用いられる乳白色プラスチック板２６は、同図（Ｂ）のように、例えば、その両端に切り欠き３０があけられていて、この切り欠き３０に、固定ブラケット２５の上部に設けたスタッド２８が、差し込まれるようになっている。
【００３８】
したがって、修理点検作業を行う場合、作業者は、ナット２９を外して、乳白色プラスチック板２６のみを外すだけで、容易に作業を行うことができる。
【００３９】
また、照明灯具１８の遮蔽板として用いられる乳白色プラスチック板２６は、曲げなどの特殊な加工がないため、安価で供給されるので、低コスト化にも効果を発揮する。
【実施形態４】
【００４０】
本発明による実施形態４に係る間接照明灯具カバーを、図４乃至図５により説明する。
【００４１】
図４乃至図５は、本発明による間接照明灯具カバーの第４の実施形態を示した構成正面図で、このうち図５は、後記ストッパーを外した後の間接照明灯具カバーの状態を示している。
【００４２】
図４において、蝶番３１の片面が間接照明カバー１０の上部に固定されており、その蝶番３１の他面には、乳白色プラスチック板３２が、その下部で、スタッド３３Ａおよびナット３４Ａによって固定され、矢示３５の方向に回転運動できるようになっている。
【００４３】
また、間接照明カバー１０の上面部には、蝶番３１による乳白色プラスチック板３２の回転運動を抑制するために、例えば、Ｌ形のストッパー３６がスタッド３３Ｂおよびナット３４Ｂで取り付けられていて、乳白色プラスチック板３２が垂直に固定保持されるようになっている。
【００４４】
なお、ストッパー３６の形状は、板状でもよく、或いは、帯状でもよいが、ただ、帯状であれば、外す必要がないので、作業効率は一層向上することになる。
【００４５】
また、ストッパー３６の材料は、鋼材でもプラスチックでもよいが、後者の場合、強度の点で厚くする必要がある。
【００４６】
このような構成において、作業員は、修理点検を行う場合、ナット３４Ｂをはずしてストッパー３６だけを取り外し、乳白色プラスチック板３２を矢示３５の方向に回転させて、作業空間をつくり、作業を行う。
【００４７】
ただ、この場合、乳白色プラスチック板３２は、図５に示したように、スタッド３３Ｂに当ると、キズが付くので、乳白色プラスチック板３２が、スタッド３３Ｂに当らないように、例えば、スタッド３３Ｂの長さ、或いは、スタッド３３Ｂの設置位置を考慮しておく必要がある。
【００４８】
このような構成において、作業員は、修理点検時に、乳白色プラスチック板３２を取り外すことなく、作業空間を確保できるので、作業が容易に行われ、作業効率が向上する。
【００４９】
また、乳白色プラスチック板３２を取り外す必要がないので、取り外し時の破損や、落下による危険もなくなる。
【実施形態５】
【００５０】
本発明による実施形態５に係る間接照明灯具カバーを、図６により説明する。
【００５１】
図６は、本発明による間接照明灯具カバーの第５の実施形態を示した正面図で、間接照明カバー１０には、乳白色プラスチック板３７を囲むように、この乳白色プラスチック板３７を下部外側から支持固定する外側固定ブラケット３８と、同じく乳白色プラスチック板３７を内側から支持固定する、例えば、Ｌ形の内側固定ブラケット３９と、さらに、乳白色プラスチック板３７の下部が載る下部載置台４０とが、取り付けられている。
【００５２】
なお、上記の外側固定ブラケット３８や内側固定ブラケット３９、および下部載置台４０などは、すべて、乳白色プラスチック板で形成されている。
【００５３】
このような構成により、作業者は、照明光源１６の交換や照明灯具１８の点検などの修理点検時、特殊な工具を用いることなく、乳白色プラスチック板３７を引き抜いて取り外すだけで、作業空間が確保でき、また、作業完了時にも、内側固定ブラケット３８と外側固定ブラケット３９との間隙に乳白色プラスチック板３７を挿入するだけで済むので、作業効率を大幅に向上させることができる。
【００５４】
また、本実施形態では、乳白色プラスチック板３７に曲げや孔加工を施す必要がないため、乳白色プラスチック板３７が安価で供給され、低コスト化にも更なる効果を発揮する。
【実施形態６】
【００５５】
本発明による実施形態６に係る間接照明灯具カバーを、図７により説明する。
【００５６】
図７は、本発明による間接照明灯具カバーの第６の実施形態を示した正面図で、本実施形態は、前記した図６の実施形態に対して、エレベーターの振動に強くするために、外側固定ブラケット３９（図６）を板ばね（後記）に代えた構成になっている。
【００５７】
同図において、間接照明カバー１０には、乳白色プラスチック板４１を載せる、例えば、Ｌ字形の載置台４２が固定設置されている。
【００５８】
そして、このＬ字形の載置台４２の内側には、乳白色プラスチック板４１を外側から支持固定する外側固定ブラケット４３が、また、内側には、乳白色プラスチック板４１を内側から支持固定するブラケットとしての板ばね４４が、その下部でスタッド４５とナット４６などにより取り付けられている。
【００５９】
このような構成により、修理点検時、作業員は、内側ブラケットとしての板ばね４４を、外側固定ブラケット４３との間隙を広げる方向に曲げて、乳白色プラスチック板４１を抜き取って、作業空間を確保する。
【００６０】
そして、作業完了時にも、板ばね４４を、同じ方向に曲げて、乳白色プラスチック板４１を挿入装着するが、装着後の乳白色プラスチック板４１は、板ばね４４の押力によって、しっかりと抑えられる。
【００６１】
したがって、本実施形態では、エレベーターのかご室２４（図２）が上下に昇降する際に、振動が発生するが、その振動による乳白色プラスチック板４１のビビリ音などの発生を抑制することができるので、かご室２４（図２）内に居る人に不快感を与えることがない。
【実施形態７】
【００６２】
本発明による実施形態７に係る間接照明灯具カバーを、図８乃至図９により説明する。
【００６３】
図８乃至図９は、本発明による間接照明灯具カバーの第７の実施形態を示した正面図で、このうち、図９は、本実施形態の修理点検作業時の状態を示している。
【００６４】
図８において、間接照明カバー１０の底面部１１には、例えば、鋼材からなる蝶番取付台４７が固定設置されている、そして、この蝶番取付台４７には、乳白色プラスチック板４８の下部に取り付けられた蝶番４９の片面が取り付けられている。
【００６５】
また、乳白色プラスチック板４８の下部、すなわち、蝶番４９が取り付けられていない側面の下部には、磁石５０が取り付けられている。
【００６６】
このような構成により、非作業時には、乳白色プラスチック板４８は磁石５０の磁力によって間接照明カバー１０にしっかりと支持固定されている。
【００６７】
一方、修理点検時においては、図９のように、作業員は、磁石５０の磁力に逆らう程度の作用力で、乳白色プラスチック板４８を間接照明カバー１０から外し、次いで、蝶番４９を介して回転させ、適度な角度に傾斜させて、作業空間をつくり、作業を行う。
【００６８】
このように、本実施形態では、修理点検時に、蝶番４９の回転により作業空間を確保することができるので、乳白色プラスチック板４８を間接照明カバー１０から取り出す必要がなく、また、専用の特殊工具も必要としないので、乳白色プラスチック板や工具などの落下の心配もなく、したがって、作業効率の向上は勿論、作業の安全性も確保できることになる。
【００６９】
以上説明した本発明によれば、修理点検時に作業空間をつくる手段として、ナットと乳白色プラスチック板のみの最小限の部品だけを取り外すか、或いは、取り外す部品が全くない手段を採用しているので、取り外すための特殊な作業工具を必要とせず、したがって、作業効率の大幅な向上は勿論、作業中に作業工具や部品が落下するなどの危険性も最小限度に押さえられ、実施形態によっては、その危険性も皆無となり、安全で据付け容易、且つ、安価な間接照明灯具カバーを得ることができる。
【００７０】
さらに、本発明によれば、実施形態によっては、乳白色プラスチック板を取り外す必要がないので、乳白色プラスチック板の落下による破損がなくなり、その結果、コスト上有利となって経済的効果も向上する。
【００７１】
さらに、本発明によれば、実施形態によっては、かご室内に居る人の視線を遮る乳白色プラスチック板に曲げや孔加工を必要としていないので、材料費が安価となり、経済的効果がさらに向上する。
【００７２】
さらに、本発明によれば、板ばねを用いることができるので、エレベーターが上下に昇降する際、かご室内に発生する振動による乳白色プラスチック板のビビリ音が全くなくなり、かご室内の人に不快感を与えることもなくなる。
【図面の簡単な説明】
【００７３】
【図１】本発明の実施形態1に係る間接照明装置の概略構成を示す正面図である。
【図２】本発明の実施形態２に係る間接照明装置の概略構成を示す正面図である。
【図３】本発明の実施形態３に係る間接照明装置の構成図で、（Ａ）は間接照明装置の正面図、（Ｂ）は、乳白色プラスチック板の正面図である。
【図４】本発明の実施形態４に係る間接照明装置の構成を示す正面図である。
【図５】本発明の実施形態４に係る間接照明装置の他の構成を示す正面図である。
【図６】本発明による実施形態５に係る間接照明装置の構成を示す正面図である。
【図７】本発明による実施形態６に係る間接照明装置の構成を示す正面図である。
【図８】本発明による実施形態７に係る間接照明装置の構成を示す正面図である。
【図９】本発明による実施形態７に係る間接照明装置の他の構成を示す正面図である。
【図１０】従来の間接照明装置の概略構成を示す正面図である。
【図１１】従来の間接照明装置の概略構成を示す正面図である。
【符号の説明】
【００７４】
１  天井
２  側板
３  間接照明装置
４、１０  間接照明カバー
５、１７  反射板
６、１６  照明光源
７、１８  照明灯具
８、２４  かご室
９  人
９Ａ  視線
１１  間接照明カバーの底面部
１２、１９、２５  固定ブラケット
１３、２１、２８、３３Ａ、３３Ｂ、４５  スタッド
１４、２２、２９、３４Ａ、３４Ｂ、４６  ナット
１５、２０、２６、３２、３７、４１、４８  乳白色プラスチック板
２３  磁石
２７，４２  載置台
３０  切り欠き
３１，４９  蝶番
３５  矢示
３６  ストッパー
３８，４３  内側固定ブラケット
３９  外側固定ブラケット
４０  下部載置台
４４  板ばね
４７  蝶番取付台
５０  磁石
【図１】
2010155706.tif 000003
【図２】
2010155706.tif 000004
【図３】
2010155706.tif 000005
【図４】
2010155706.tif 000006
【図５】
2010155706.tif 000007
【図６】
2010155706.tif 000008
【図７】
2010155706.tif 000009
【図８】
2010155706.tif 000010
【図９】
2010155706.tif 000011
【図１０】
2010155706.tif 000012
【図１１】
2010155706.tif 000013